Podtech/llm-jp-corpus-v4-ja_patent huggingface dataset:
(57)【要約】【課題】  連続使用が可能なガウス加速器【解決手段】  強い磁力をもつ円柱磁石（１）の片面に、球面をもつ鉄（２）を固定し、それを、そこから打ち出された鉄球が、磁石のもう一つの面に転がりつくための大きな弧をもつ台（３）に設置し、さらに磁石面と鉄の球面の先を結ぶごく短いレール（４）を設けたことを特徴とする。【選択図】図１
2011008208.tif 000002
【特許請求の範囲】
【請求項１】
強い磁力をもつ円柱磁石（１）の片面に、球面をもつ鉄（２）を固定し、それを、そこから打ち出された鉄球が、磁石のもう一つの面に転がりつくための大きな弧をもつ台（３）に設置し、さらに磁石面と鉄の球面の先を結ぶごく短いレール（４）を設けた、連続使用が可能なガウス加速器
【発明の詳細な説明】
【技術分野】
【０００１】  この発明は、連続使用が可能なガウス加速器に関するものである。
【背景技術】
【０００２】  従来、ガウス加速器は、鉄球が強い磁力をもつ磁石の面につくのと同時に、もう一方の面側に置かれていた鉄球が打ち出されて終わりという一回性のものであった。
【発明の概要】
【発明が解決しようとする課題】
【０００３】  当該器具を複数回利用するためには、その度に、鉄球などを置き磁力の弱められた側に別の鉄球をつけ、さらに別の鉄球を磁石面側に転がすという段取りが必要であった。
【課題を解決するための手段】
【０００４】  強い磁力をもつ円柱磁石（１）の片面に、球面をもつ鉄（２）を固定し、それを、そこから打ち出された鉄球が、磁石のもう一つの面に転がりつくための大きな弧をもつ台（３）に設置し、さらに磁石面と鉄の球面の先を結ぶごく短いレール（４）を設けた。
本発明は、以上の構成よりなる連続使用が可能なガウス加速器である。
【発明の効果】
【０００５】  この発明により、ガウス加速器の連続使用が可能となる。
【発明を実施するための形態】
【０００６】  以下、本発明を実施するための最良の形態について説明する。
強い磁力をもつ円柱磁石（１）の片面に、球面をもつ鉄（２）を固定し、それを、そこから打ち出された鉄球が、磁石のもう一つの面に転がりつくための大きな弧をもつ台（３）に設置し、さらに磁石面と鉄の球面の先を結ぶごく短いレール（４）を設けた。
本発明は、以上のような構成で、これを使用するときは、鉄の球面側に、一つの鉄球をつけておき、さらなる鉄球を磁石面側に転がす。
鉄球が磁石面につくのと同時に、鉄の球面側についていた鉄球が、勢いよく打ち出され、大きな弧をもつ台の上を転がる。
その転がる鉄球が、磁石面に到達するまでに、既についていた鉄球を、指ではじいて、短いレール上を通過させ、鉄の球面の先に移動させる。あとは磁石面に鉄球がつくたびに、指ではじき、鉄の球面の先に移動させればよく、まるでジャグリングのように複数の鉄球を転がすこともでき、様々な教育玩具等に応用が可能である。
【図面の簡単な説明】
【０００７】
【図１】  本発明の平面図である。
【符号の説明】
【０００８】    １  円柱磁石
２  球面をもつ鉄
３  大きな弧をもつ台
４  ごく短いレール
【図１】
2011008208.tif 000003
(57)【要約】【課題】  本発明の課題は、長尺で直管型のＬＥＤ照明灯の内部に配置される長尺な基板の一方面に配置されたLEDの光りを基板の反対側まで通して灯具の反射板に反射させる構造を提案することで、照明装置が全体として明るくなるLED照明灯の基板構造を提供することである。【解決手段】  本発明は基板にＬＥＤを複数個配置し、このＬＥＤ基板を内部に収納し、前記ＬＥＤを必要に応じて点灯するＬＥＤ照明灯において、当該LED照明灯に用いる前記基板の側部を選択的に切り欠いて切り欠き部を形成してなり、当該切り欠き部を通して前記基板のLEDを配した面側の光りを反対側にまで導くようにしたことを特徴とするＬＥＤ照明灯の基板構造である。【選択図】図１
2011008920.tif 000002
【特許請求の範囲】
【請求項１】
基板にＬＥＤを複数個配置し、このＬＥＤ基板を内部に収納し、前記ＬＥＤを必要に応じて点灯するＬＥＤ照明灯において、当該LED照明灯に用いる前記基板の側部を選択的に切り欠いて切り欠き部を形成してなり、当該切り欠き部を通して前記基板のLEDを配した面側の光りを反対側にまで導くようにしたことを特徴とするＬＥＤ照明灯の基板構造。
【発明の詳細な説明】
【技術分野】
【０００１】
本発明は、管の内部にＬＥＤを多数する搭載した基板を収納し、両端に口金を配して、従来の蛍光灯のソケットに結合し、ＬＥＤ照明の点灯を行うＬＥＤ照明灯の基板構造に関する。
【背景技術】
【０００２】
従来の蛍光灯等の直管型のＬＥＤ照明灯は、ポリカーボネイト等の素材を管状に形成して、この内部にＬＥＤを長尺な基板の一面に多数配して、このLEDを点灯して蛍光灯に代る照明器具としている。そしてその省エネ故に普及が急がれている。この場合、内部の基板の一面にLEDを配置せざるお得ない構造であるので、一面のLEDの光りが基板の反対側に通らず灯具の反射板を有効に利用できない構造になっている。従って、全体的に暗いイメージが生じる。このために回路を工夫して照度を上げることも考えられるが、熱が生じてLEDの寿命を短くする問題が生じる。その為に照度を上げずに灯具の反射板が効率的に利用できる工夫が望まれている。
【０００３】
従来、灯具の反射板を有効に利用するLEDの長尺な直管型の照明灯は無く、特許文献１はＬＥＤを搭載した基板を配する為に重くなり、管が途中で撓まないように管内に支持ピン、支持材などを工夫して配置することで長い管がたるまないように配慮している技術が存在するだけである。
【特許文献１】特開２００２−１４１５５５号公報
【発明の開示】
【発明が解決しようとする課題】
【０００４】
本発明が解決しようとする問題点は、長尺で直管型のＬＥＤ照明灯の内部に配置される長尺な基板の一方面に配置されたLEDの光りを基板の反対側まで通して灯具の反射板に反射させる構造を提案することで、照明装置が全体として明るくなるLED照明灯の基板構造を提供することである。
【課題を解決するための手段】
【０００５】
本発明は課題解決の手段として、基板にＬＥＤを複数個配置し、このＬＥＤ基板を内部に収納し、前記ＬＥＤを必要に応じて点灯するＬＥＤ照明灯において、当該LED照明灯に用いる前記基板の側部を選択的に切り欠いて切り欠き部を形成してなり、当該切り欠き部を通して光りを前記基板のLEDを配した面の反対側にまで導くようにした構成を特徴とするものである。
【発明の効果】
【０００６】
請求項１記載の発明によれば、長尺な管であっても内部の基板に搭載されたLED照明光を基板の一面だけでなく、反対側にまで光りを導くのでこれが灯具の反射板に反射して全体的に明るくなるものである。従って、LEDの寿命を短くすることもないので大いに効果的である。
【発明を実施するための最良の形態】
【０００７】
本発明は、ＬＥＤ照明灯の管の内部には、主にＬＥＤ素子とダイオードを基板に配した構造で、この基板を例えばポリカーボネイトの管内の中央付近で管の桟に挿入取り付け、ＬＥＤを配した基板の側部を選択的に切り欠いた切り欠き部を形成し、この切り欠き部を通ってLEDの光りが反対側にも通るように実現したもので、灯具の反射板を有効に利用できるものであって全体的に明るくできるものである。
【０００８】
以下に、本発明の実施例に係るＬＥＤ照明灯の管構造を図１、図２を参照して詳細に説明する。
【０００９】
本実施例に係る管１は例えばポリカーボネイト製で長さは１２００ミリ程度、外径は３０ミリ程度、肉厚は薄い薄肉部Ｈの小さい方即ちＬＥＤが配置されるＬＥＤ基板２の側は０．９ミリ程度で、肉厚が厚い肉厚部Ｓの方は１，８ミリ程度に選定する。次ぎに管１の中央部分には直径線上に対向して桟３１、３２を形成する。桟３１、３２には図２のＬＥＤ基板２が挿入固定されるもので、ＬＥＤ基板２の下側には点線で示すように複数個のＬＥＤ４１〜４１Ｎが配置される。
【００１０】
即ち管１の内側の肉厚箇所側にはＬＥＤ４１ｉ〜４１Ｎは配置せず、管１の肉薄箇所側にＬＥＤ４１〜４１Ｎが配置することになるわけである。之によって、管１の外径を変更せずに丸の状態で管１の強度を増すことができる。
【００１１】
次に前記LED基板２の長手方向に向かっての両側部に図で示すように切り欠き部１１〜１１N個を形成する。この切り欠き部１１ｉ〜１１Nに対応して反対側には同じように切り欠き部１２ｉ〜１２Nを形成する。この切り欠き部１１ｉ〜１１N、１２ｉ〜１２Nの切り欠き程度は適宜選定すればよい。
【００１２】
図２で、矢印AはLED基板２が管１内に挿入配置される状態を示していて、配置後は図１で示すようにLED４１ｉ〜４１Nの光りは切り欠き部１１ｉ〜１１N、１２ｉ〜１２Nを通って（矢印B）、さらに管１を通過して（矢印C）灯具２５の反射板２４で反射され、反射光Dとして反射する。従って、管１の周囲は明るくなるものである。
【００１３】
尚、前記きり欠き部１１ｉ〜１１N、１２ｉ〜１２Nの形成数は適宜選択できるもので、切り欠き深さもLED基板２の強度を考慮して設定すればよいものである。これらの選択はLEDの光りが効率よく下方にも又上方にも通って灯具２５の反射板２４で反射されることに有効である。尚実施例の長尺基板でなくとも切り欠き部の形成も要旨の一部である。
【産業上の利用可能性】
【００１４】
本発明の基板構造は実際の測定で管の直下において効果的な照明度が得られたので産業上有用であり、効果的に市場に提供できるものである。
【図面の簡単な説明】
【００１５】
【図１】本発明の実施例を説明するための管の縦断面図である。
【図２】本発明の実施例を説明する為の斜視図である。
【符号の説明】
【００１６】
１    管
２    ＬＥＤ基板
３１，３２    桟
４１ｉ〜４１Ｎ    ＬＥＤ
１１ｉ〜１１N、１２ｉ〜１２N    切り欠き部
Ｓ    肉厚部
Ｈ    肉薄部
２５  灯具
２４  反射板
【図１】
2011008920.tif 000003
【図２】
2011008920.tif 000004
(57)【要約】【課題】  複数の油を使用し、さらに再混合可能な、コンパクトかつシンプルなシステムで十分な撹拌能力を持つエマルジョン燃料製造装置を提供する。【解決手段】  撹拌能力の高い渦流ポンプ４とタンクへの供給や循環のための配管の先端に周囲の数倍の量の液体も吸引して噴出するエジェクタ５を持ち、さらに複数の油を供給可能にする為に油切替電動弁１および複数の自動開閉弁２を設けた供給ラインと、エマルジョン化した製品を再循環すべく排出切替電動弁３を設けた循環ラインおよびレベルセンサ１２を含む制御装置を設けたエマルジョン燃料製造装置とする。【選択図】図１
2011052193.tif 000002
【特許請求の範囲】
【請求項１】
撹拌能力の高い渦流ポンプ（４）とタンクへの供給や循環のための配管の先端に周囲の数倍の量の液体も吸引して噴出するエジェクタ（５）を持ち、さらに複数の油を供給可能にする為に油切替電動弁（１）および複数の自動開閉弁（２）を設けた供給ラインと、エマルジョン燃料の製品タンク（７）の排出口の後に循環すべく排出切替電動弁（３）を設けた循環ラインおよびレベルセンサ（１２）を含む制御装置を設けた複数の油を原料とするエマルジョン燃料製造装置。
【発明の詳細な説明】
【技術分野】
【０００１】  本発明は、エマルジョン燃料製造装置に関するものである。
【背景技術】
【０００２】  昨年夏をピークとする石油価格の暴騰により、エネルギコストの比率の高い漁業、ハウス栽培のような農業、温浴施設、運輸業等は大きな打撃を受けた。  一時期は高騰した反動で石油価格が大幅に下がったが発展途上国の実需要もあり再上昇している。  燃料コストの問題もあるが二酸化炭素排出量の削減も負けず劣らず重要な問題である。  このような状況下で両方に有利なエマルジョン燃料の普及は進んでいる。  通常のエマルジョン燃料は油、添加剤および水の３種類の液体を撹拌混合しエマルジョン化しエマルジョン燃料とする。  特に二酸化炭素排出量の削減という点で非常に有効なバイオ燃料の使用は今後も促進されるが、エマルジョン燃料においてもバイオ燃料の混合はやはり有効である。
【発明の開示】
【発明が解決しようとする課題】
【０００３】  エマルジョン燃料は通常油、添加剤および水の３種類の液体をエマルジョン化して製造するが、バイオ燃料を使用する場合従来の燃料に混合して使用することが一般的に考えられるが、その場合石油系の油に混合する必要がある。  また、製造したエマルジョン燃料は製品タンクに貯えられるが、長期間停止したり油や添加剤によっては再混合が必要な場合が考えられる。  小型装置において、簡単、コンパクトかつ安価な装置で短時間で複数の油の十分なエマルジョン化と再混合可能な装置を提供する。
【課題を解決するための手段】
【０００４】  図１に本発明の概念的な系統図を示す。  水は水用電磁弁（１０）を経由し撹拌タンク（６）へ、添加剤は添加剤用電磁弁（１１）を経由し撹拌タンク６に供給する。  油は油切替電動弁１により選択し、自動開閉弁２を開閉する。  供給切替電動弁（８）を経由し撹拌能力の高い高速回転の渦流ポンプ４で撹拌タンク６に供給するが、撹拌タンクの配管の先端には周囲の数倍の液体を吸い込み噴出すべくエジェクタ５を設ける。  エマルジョン化した液体は撹拌タンク６から切替電動弁（９）を経由して製品タンク７に排出するが、製品タンクの配管先端には撹拌タンクと同様にエジェクタ５を設けてもよい。  渦流ポンプは高速回転させ、外周に放射状の溝を持つ羽根車の回転によりポンプ内の内壁に沿って渦を発生させながら液を送るので撹拌能力が高い。  また、エジェクタはノズルから高速で吐出すると周囲が負圧になるため周囲の数倍の量の液体を吸込み、混合噴射するので撹拌力が大きい。  油や添加剤によっては製品タンク７に長時間置いておくと比重差で品質やカロリーが不均一になる場合があるので排出切替電動弁３を切替え、ポンプ４で循環可能とする。  レベルセンサ１２を用い、図示しない制御装置で自動化する。
【発明の効果】
【０００５】  撹拌能力が高く高速回転の渦流ポンプ４と周囲の数倍の量の液体を吸い込んで噴出するエジェクタ５を供給、循環時に最大限使用し、複数種類の油を使用し十分なエマルジョン化が図れるので、分離しにくく良好で安定した燃焼が行なえる良質のエマルジョン燃料が製造できるし、製品タンク７のエマルジョン燃料を循環させ均一化できる。
【発明を実施するための最良の形態】
【０００６】  図１の系統図に基づき説明する。  まず油は供給された添加剤を設定量加えながら、供給と撹拌循環を兼用する渦流ポンプ４で供給切替電動弁８を供給側にし撹拌タンク６に供給するが、配管の先端にエジェクタ５があるため供給しながら既に入っている油や添加剤との撹拌が同時に行なわれる。  レベルセンサ１２で設定したレベルＬ１を検出すると、次の油を自動開閉弁２を切替えて同様に撹拌タンク６にレベルセンサ１２で設定したレベルＬ２になるまで撹拌させながら供給する。  必要に応じて、水を加える前に供給切替電動弁８を切替え中間撹拌を行ない、油と添加剤をさらにエマルジョン化する。  次に水を供給するが、水用電磁弁１０を開くとエジェクタ５を経由して撹拌タンク６に既に入っている油と添加剤のエマルジョン化した液体が混合される。  液面が設定レベルＬ３に達すると水供給を止めて撹拌工程に入り所定の時間撹拌後、切替電動弁９を排出側に切替え製品タンク７に排出する。  撹拌タンク６と同様にエジェクタ５を設け、排出工程の度に既に製品タンク７内に貯えられた製品のエマルジョン燃料と混合させればさらに循環が図れる。  ただ、エマルジョン燃料は燃料、添加剤や水も種々あり、最適なエマルジョン化の方法が異なる。  上記の動作を、図示しない制御装置で自動的に行なう。
【実施例１】
【０００７】  前項最良の形態で説明しているが、図１は小型のエマルジョン燃料製造装置の２種類の油の場合で、水、添加剤あるいは油の種類によって混合比率やエマルジョン化の方法は異なるが、場合によっては撹拌し過ぎが好ましくなく中間撹拌が不要であったり、製品タンク７のエジェクタ５が不要であったりする。
【産業上の利用可能性】
【０００８】  この発明の装置はシステムもシンプルでコンパクトなので安価に製造でき、特に小型の場合には実施性が高く普及しやすいと考え、省エネと二酸化炭素、窒素酸化物、硫黄酸化物等の排出量の大幅削減に貢献できる。バイオ燃料を使用する場合には特に有効である。
【図面の簡単な説明】
【０００９】
【図１】  本発明の概念的な系統図である。
【符号の説明】
【００１０】  １  油切替電動弁
２  自動開閉弁
３  排出切替電動弁
４  ポンプ
５  エジェクタ
６  撹拌タンク
７  製品タンク
８  供給切替電動弁
９  切替電動弁
１０  水用電磁弁
１１  添加剤用電磁弁
１２  レベルセンサ
【図１】
2011052193.tif 000003
(57)【要約】【課題】  自然の風は、強弱が激しいので、風のエネルギーを採取する事は問題があった。そして、羽根車５に当たった気流は吸い込む事無く横方に飛び散り直流は軽減され出力は軽減する。そこで、回転ドラムで羽根の音が軽減され羽根車５に沿って直流して出力は増大する。【解決手段】  回転ドラムを三分割にして、中ドラム１を駆動車２、または出力車２を連結する両脇のドラム１，１にクラッチ車４，４を連結する。センサー１１の働きでクラッチ車４，４の断続で羽根車５の傾斜がかわり回転がかわる。【選択図】  図１
2011052666.tif 000002
【特許請求の範囲】
【請求項１】
回転ドラムを三分割して中ドラム１に駆動車１出力車１を連結して両端ドラム１，１にクラッチ車４，４を連結するクラッチ車４，４の断続で羽根車５の傾斜を変える羽根車機構。
【発明の詳細な説明】
【技術分野】
【０００１】
本発明は、回転ドラムを三分割にする。中ドラム１を駆動車、出力車を連結する。
両端のドラム１，１にクラッチ車４，４を接続する。そうして、センサー１１を用いてクラッチ車４，４の断続をして羽根車５の傾斜を変え回転を変えて出力を堅持する羽根車機構に関する。
【背景技術】
【０００２】
従来の羽車機構は、羽根の傾斜を変えるのは、回転軸にアームを設備して、アームを引き押しして傾斜を変えていた。
【０００３】
この改善策として、密着センサー１１を使用して、風の強弱に対して羽根車５の傾斜を変えて回転を変え出力を堅持する根根車機構。
【特許文献１】実用新案公報  昭６１−２１５９３遠心力により羽根が軸の外周に沿って開く用になっている。
【発明の開示】
【発明が解決しようとする課題】
【０００４】
解決しょうとする問題点は、円滑な操作困難だっために出力が得ることが出来なかた。そして、気流は遠心力で横に飛び散り直流は軽減され羽根に風力が伝わらない事が多い。そして、気流は横方に飛び散らないので、羽根の音が軽減され後方に気流は羽根車５に沿って直流する。
【課題を解決するための手段】
【０００５】
本発明の回転ドラムを、三分割にする。中ドラム１を駆動車２、出力車２にする。
両端のドラム１，１にクラッチ車４，４を連結する。クラッチ車４，４の断続で羽根車５の傾斜が変わり回転が変わり出力を堅持する。
【発明の効果】
【０００６】
本発明は、強弱の風に対して一定の出力を得る事を実現したので、強力な風車に成る。
【発明を実施するための最良の形態】
【０００７】
回転ドラム三分割にする、中ドラム１を駆動車２、出力車２にして、両端のドラム
１，１にクラッチ車４，４を接続する。センサーの作用でクラッチ車４，４を断続して、
羽根車５の傾斜を変え回転を変えて出力を堅持する。
【実施例１】
【０００８】
図１は、本発明の１実施例の斜視図である。
図２は、一枚の羽根車の平面図、一部切断である。
【図面の簡単な説明】
【０００９】
【図１】本発明の四枚の羽根から成る斜視図である。
【図２】一枚の羽根の平面図、一部切断図である。
【符号の説明】
【００１０】
１  ドラム
２  駆動車、出力車
３  軸、孔
４  クラッチ車
５  羽根車
６  ローラ、案内車
７  レール
８  風みどり
９  回転台
１０  ピン
１１  センサー
１２  フレーム
１３  安定盤
【図１】
2011052666.tif 000003
【図２】
2011052666.tif 000004
(57)【要約】【課題】費用体効果のある二酸化炭素削減、低炭素による風力発電は、地球温暖化防止のため、自然エネルギーを摂取することで解決を図る。【解決手段】車輌、航空機、船舶、電車等の走行風圧を利用することで、風力発電機で電気を生産し、その、電気で発電機を稼動し、さらに、その電気でもって強力な電気を稼動とすることを特徴とする。【選択図】なし【特許請求の範囲】
【請求項１】
風力発電稼動により、二酸化炭素削減装置。
【請求項２】
風力発電装置により、低炭素技術革新。
【請求項３】
風力発電により電気を生産し、余剰電気を次から次へと生産するシステムの確立を図ることを特徴とする。
【請求項４】
上記記載の請求項１，２，３において、本発明趣旨を逸脱しない範囲の変更は、本発明に含まれる。
【発明の詳細な説明】
【技術分野】
【０００１】本発明は、地球温暖化の原因である二酸化炭素の削減、低炭素技術分野に関するものである。【０００２】車両、航空機、船舶、電車等の走行時、前部に受ける風圧を利用し、発電装置を作動させ、風力発電を生み出す動体装置、及び多用途に適した固定装置エンジン。
【背景技術】
【０００３】二酸化炭素濃度が高まる現在、水素、太陽光発電に、世界中が二酸化炭素の削減、低炭素の研究開発に取り組んでいる。しかし、実現化達成にいたっておらず、二酸化炭素濃度が高まっている。【０００４】大容量の排ガスから二酸化炭素の吸収、回収に費用対効果において困難である。
【発明の開示】
【発明が解決しようとする課題】
【０００５】現在、二酸化炭素を含むガスから二酸化炭素の発生、回収技術に満足な期待がされず、実用技術は未完成である。用いられている技術は、経済上および環境上に難点がある。【０００６】本発明は、大気中に排出される二酸化炭素を放出する前の技術に関するものである。【０００７】上記課題を鑑みるに、以上の欠点を解決すべき、低コストと効率的な費用対効果面において二酸化炭素の削減技術とその方法により、環境保全に貢献できるためになされ、その、解決提案を目的とする。
【課題を解決するための手段】
【０００８】前記目的を解決する手段として、車輌、航空機、船舶等が移動する際に受ける風圧を本装置の最大利用することで二酸化炭素を削減する。【０００９】上記においての風力発電装置は自然環境に極めて有益な、その、二酸化炭素の削減効果の活用を特徴とした。
【発明の効果】
【００１０】本発明は、上記によって、地球の温暖化を防ぎ、地球環境保全に寄与する。【００１１】本発明は、極めて環境汚染防止に有益であり、風力利用は、燃費においても経済効果が得られ環境浄化に取り組むことができる。【００１２】風力発電装置による走行、飛行は、緊急時の燃料切れの心配はなく、発電機の作動を継続的に電力供給の確保が出来、安定供給が可能である。【００１３】本発明の風力発電システムは、更なる開発を必須としたい。【００１４】本発明の製造技術は、高度技術を要する。よって、先進的な低炭素、環境浄化に取組み社会に貢献する。
【発明を実施するための最良の形態】
【００１５】本発明の風力発電装置を支持体にし、車内、機内の内部に本装置を設置したことを特徴とする。【００１６】支持体は、回転力に遠心力を増加し、変換機能によって強い回転力が働く。【００１７】風力発電装置は、電力のないところでは、電気の生産が可能となり、最良の形態をなし得る。【００１８】この実施例については、二酸化炭素の削減、低炭素、浄化装置に関する技術を特徴する。
【産業上の利用可能性】
【００１９】電気の得られる技術で電気の増産をすることによって電気不足が解消する。【００２０】本装置は、量産体制が可能なことから、産業上の利用可能性を有する。
(57)【要約】【課題】水力発電を効率的に利用する方法を提案する。【解決手段】世界的各地の協議での地球温暖化防止において、自然エネルギー活用に水力発電がある。水力発電機駆動エネルギーは無償であることと、環境対応が転換期にある。【選択図】なし【特許請求の範囲】
【請求項１】
水力発電システムは、海上に波動翼を有した浮遊環状構造体を成形し、寄せ波引き波の往復運動の回転力、変換力の旋転移動を発電機能としたことを特徴とする。
【請求項２】
津波、高くうねる波等が発生した際は、浮遊環状体保護のため、上記の波の上下運動の影響をきたさない範囲を想定し、浮遊環状構造体を沈下し得る機能を特徴とする。
【請求項３】
請求項１，２の趣旨を逸脱しない範囲の変更は、本発明に含まれる。
【発明の詳細な説明】
【技術分野】
【０００１】本発明は、地球温暖化の原因である二酸化炭素の削減技術分野に属し、水力発電の効率的な利用方法を提案する。【０００２】水力発電技術を用いての二酸化炭素の削減に関する。
【背景技術】
【０００３】二酸化炭素の削減をはかる水力発電は実用化され世界的におこなわれている。【０００４】しかし、高額な維持管理、費用対効果において難点がある。
【発明の開示】
【発明が解決しようとする課題】
【０００５】地球温暖化対策のため、クリーンエネルギーの水力発電の利用促進が期待されている。現在、二酸化炭素削減エネルギー変換効率が悪く有効利用が期待されている。【０００６】本発明は、世界各国協議の地球温暖化防止の一助とする。【０００７】上記課題を鑑みるに、コスト改善と効率的な費用対効果面において二酸化炭素の削減技術とその方法により、環境保全に貢献できる提案を目的とする。
【課題を解決するための手段】
【０００８】海水エネルギーを蓄積し、持続安定性を効率な回転を維持し、発電機の効率的な利用手段が期待される。【０００９】本発明における機能は、波効果の活用を特徴とした。
【発明の効果】
【００１０】本発明は、波のエネルギーの特徴を活用とした。二酸化炭素削減技術は、従来なし得なかった高性能が発揮され、経済負担も少なく、しかも製造工程は特別な技術を要しないのが特徴。【００１１】本発明の浮遊環状構造体は、回転速度の増強を図り、回転力を発電機に伝達することで効率的な発電装置が特徴。【００１２】波の破壊力を想定し、津波、高波が発生した際は、浮遊環状体保護のため，波の上下運動に影響のないところまで浮遊環状体を沈下する装置を備えた構造体は、リスク対応が可能であり、しかも安価である。【００１３】本発明の、モール化は、複数にすることにより全体トラブル回避が可能とする。【００１４】本発明の製造技術は単純であり高度技術を要しない。しかも、二酸化炭素の削減に取組み社会に貢献する。
【発明を実施するための最良の形態】
【００１５】浮遊環状構造体に製造し、支持体を備えた水の抵抗支持体の効率設計とした。【００１６】水の破壊力防止として風動翼、支持体は、想定破壊限界を察知対応し、風動翼の、たたみこみ、支柱の伸縮装置を備えた構造とし、装置破損を回避する制御を行う。【００１７】これ等を重視し、常時発電能力を維持し、地球温暖化防止の一助となることの合理的な成形を特徴とした。【００１８】この実施例については、本発明趣旨を逸脱しない範囲の変更は、本発明に含まれる。
【産業上の利用可能性】
【００１９】海上の自然エネルギーを浮遊環状構造体の回転力、変換力を旋転移動効果構造とした製造は、容易に大量生産が想定されることからも利用可能性がある。【００２０】従来の対応では、効果事例が低く、安定風力、台風による損傷、破壊等が発生していることから、本発明の代替化がすすむ。【００２１】本発明は、大規模な設備にも対応ができ、環境に負荷を与える炭素を低炭素化し、地球温暖化対策一環の取組みに関する。
(57)【要約】【課題】風力、水力発電を効率的に利用する方法を提案する。【解決手段】世界的各地の協議での地球温暖化防止において、自然エネルギー活用に風力、水力発電がある。水力発電機駆動エネルギーは無償であることと、環境対応が転換期にある。【選択図】なし【特許請求の範囲】
【請求項１】
風力発電システム構造体は、二酸化炭素の削減を特徴とする。
【請求項２】
水力発電システム構造体は、二酸化炭素の削減を特徴とする。
【請求項３】
請求項１，２の混合発電システム構造体は、二酸化炭素の削減を特徴とする。
【請求項４】
本発明の趣旨を逸脱しない範囲の変更は、本発明に含まれる。
【発明の詳細な説明】
【技術分野】
【０００１】本発明は、地球温暖化の原因である二酸化炭素の削減技術分野に属し、船舶において、風力発電、水力発電の効率的な利用方法を提案する。【０００２】船舶に、風力、水力発電技術を用いて、二酸化炭素の削減を図る。
【背景技術】
【０００３】二酸化炭素の削減をはかる風力発電、水力発電は、実用化され世界的におこなわれている。【０００４】しかし、高額な設備投資、維持管理、費用対効果において難点がある。
【発明の開示】
【発明が解決しようとする課題】
【０００５】地球温暖化対策のため、クリーンエネルギーの風力発電、水力発電の利用促進が期待されている。現在、二酸化炭素削減エネルギー変換効率が悪く、有効利用が期待されている。【０００６】本発明は、世界各国協議の地球温暖化防止の一助とする。【０００７】上記課題を鑑みるに、コスト改善と効率的な費用対効果面において二酸化炭素の削減技術とその方法により、環境保全に貢献できる提案を目的とする。
【課題を解決するための手段】
【０００８】風力発電、海水エネルギーを蓄積し、持続安定性を効率な回転を維持し、発電機の効率的な利用手段が期待される。【０００９】本発明における機能は、風、波効果の活用を特徴とした。
【発明の効果】
【００１０】本発明は、風力、波のエネルギーの特徴を活用とした。二酸化炭素削減技術は、従来なし得なかった高性能が発揮され、経済負担も少なく、しかも製造工程は特別な技術を要しないのが特徴。【００１１】本発明の風力、波の活用で、回転速度の増強を図り、回転力を発電機に伝達することで効率的な発電装置が特徴。【００１２】大量エネルギーを消費する船舶に、自然エネルギーの風力、波の活用を想定し、環境保全の省エネルギー装置を備えた構造体は、リスク対応が可能であり、しかも安価である。【００１３】本発明の、モール化は、複数にすることにより全体トラブル回避が可能とする。【００１４】本発明の製造技術は単純であり高度技術を要しない。しかも、二酸化炭素の削減に取組み社会に貢献する。
【発明を実施するための最良の形態】
【００１５】風力発電構造を効率設計とした。【００１６】水力発電構造を効率設計とした。【００１７】これ等を重視し、常時発電能力を維持し、地球温暖化防止の一助となることの合理的な成形を特徴とした。【００１８】この実施例については、本発明趣旨を逸脱しない範囲の変更は、本発明に含まれる。
【産業上の利用可能性】
【００１９】風力、海上の自然エネルギーを発電構造体の回転力、変換力を旋転移動効果構造とした製造は、容易に大量生産が想定されることからも利用可能性がある。【００２０】従来の対応では、効果事例が低く、安定風力、台風による損傷、破壊等が発生していることから、本発明の代替化がすすむ。【００２１】本発明は、大規模な設備に対応、効果があり、環境に負荷を与える炭素を低炭素化し、地球温暖化対策一環の取組みに関する。
(57)【要約】【課題】風力発電を効率的に利用する方法を提案する。【解決手段】世界的各地の協議での地球温暖化防止において、自然エネルギー活用に風力発電がある。風力発電機駆動エネルギーは無償であることと、環境対応が転換期にある。【選択図】なし【特許請求の範囲】
【請求項１】
風力発電システムを風動翼環状構造体にすることにより、回転力、変換力の旋転移動を機能としたことを特徴とする。
【請求項２】
風動翼の、たたみこみ、支柱の伸縮装置を備えた構造を特徴とする。
【請求項３】
請求項１，２の趣旨を逸脱しない範囲の変更は、本発明に含まれる。
【発明の詳細な説明】
【技術分野】
【０００１】本発明は、地球温暖化の原因である二酸化炭素の削減技術分野に属し、風力発電の効率的な利用方法を提案する。【０００２】風力発電技術を用いての二酸化炭素の削減に関する。
【背景技術】
【０００３】二酸化炭素の削減をはかる風力発電は実用化され世界的におこなわれている。【０００４】しかし、維持管理、費用対効果において難点がある。
【発明の開示】
【発明が解決しようとする課題】
【０００５】地球温暖化対策のため、クリーンエネルギーの風力発電の利用促進が期待されている。現在、二酸化炭素削減エネルギー変換効率が悪く有効利用が期待されている。【０００６】本発明は、世界各国の協議の地球温暖化防止の一助とする。【０００７】上記課題を鑑みるに、コスト改善と効率的な費用対効果面において二酸化炭素の削減技術とその方法により、環境保全に貢献できる提案を目的とする。
【課題を解決するための手段】
【０００８】風のエネルギーを蓄積し、持続安定性を効率な風車回転翼と、支柱を基材とした利用手段の効率的な利用手段が期待される。【０００９】本発明における機能は、風動翼の表面積の大きさ機能が風の抵抗、その効果の活用を特徴とした。
【発明の効果】
【００１０】本発明は、風動翼表面積の大きさの特徴を活用とした。二酸化炭素削減技術は風動翼の高性能が発揮され、経済負担も少なく、しかも製造工程は特別な技術を要しないのが特徴。【００１１】本発明の風動翼車は、回転速度の増強を図り、回転力を発電機に伝達することの構造体で効率的な発電装置が特徴。【００１２】風の破壊力を想定し、風動翼の、たたみこみ構造体と支持体の伸縮装置を備えた構造体は、リスク対応が可能であり、しかも安価である。【００１３】風動翼のモール化は、複数にすることにより全体トラブル回避が可能とする。【００１４】本発明の製造技術は単純であり高度技術を要しない。しかも風車の製作技術は、二酸化炭素の削減に取組み社会に貢献する。
【発明を実施するための最良の形態】
【００１５】風動翼を環状構造体に製造し、支持体を備えた風の抵抗支持体の効率設計とした。【００１６】風の破壊力防止として風動翼、支持体は、想定破壊限界を察知対応し、風動翼の、たたみこみ、支柱の伸縮装置を備えた構造とし、装置破損を回避する制御を行う。【００１７】これ等を重視し、常時発電能力を維持し、地球温暖化防止の一助となることの合理的な成形を特徴とした。【００１８】この実施例については、本発明趣旨を逸脱しない範囲の変更は、本発明に含まれる。
【産業上の利用可能性】
【００１９】風の自然エネルギーを風動翼の環状構造体の回転力、変換力を旋転移動効果構造とした製造は、容易に大量生産が想定されることからも利用可能性がある。【００２０】従来の対応では、効果事例が低く、安定風力、台風による損傷、破壊等が発生していることから、本発明の代替化がすすむ。【００２１】本発明は、大規模な設備にも対応ができ、環境に負荷を与える炭素を低炭素化し、地球温暖化対策一環の取組みに関する。
(57)【要約】      （修正有）【課題】外出に際し鍵の掛け忘れを防止することができる鍵掛け忘れ防止装置の提供。【解決手段】扉５に取り付ける電子システムの容器１と、リモコン機能をもつ鍵ホルダー７で構成される。容器１は電源、電源スイッチ２、音響器、電波受信部分、音響カットスイッチを結んだ回路を内蔵している。鍵ホルダー７は鍵のツマミを挟み、その挟んだ鍵の剣部分と平行な電波発振スイッチ押し部品と発信アンテナ８を備える。扉５を開けると、容器１内から音響が発生し、扉５を閉じても音は鳴り続ける。鍵を鍵穴に差し込むと電波発振スイッチ押し部品が後退し、電波発振部分に作動して音響停止信号を容器１に送り、容器１の電波受信部分が受信し音響カットのスイッチが働き音響が止まる。【選択図】図９
2011052513.tif 000002
【特許請求の範囲】
【請求項１】
音響発生装置で、それを作動させるスイッチと、外部より電波信号を受けて音響を止める電子回路をもつ、電池または屋内電源で機能する、鍵かけ忘れ防止システム。収納容器１に収納し、扉５または扉に隣接部分に取り付け使用する。
【請求項２】
上記システムと対となる、発生する音響を止めるリモコン的働きをする鍵と一体の鍵ホルダ。一端は鍵のツマミを挟み、その挟んだ鍵の剣部分と平行に電波発振スイッチ押し部品９を備え、鍵を鍵穴に差し込むと、その部品はホルダ−内に後退し圧電素子又は他種の電波発振部分に作動し音響停止信号を［請求項１］のシステムに送る。上記部品９は機能終了後スプリング１０で原位置にもどる。屋内に入ってからの発声停止は、容器１のスリット６に鍵を差し込み止める。
【発明の詳細な説明】
【技術分野】
【０００１】この発明は鍵掛け忘れを防ぐ装置に関するものである。
【背景技術】
【０００２】従来の技術は鍵の一部に施錠済の証拠を機械的に残すもの、液晶時計方式で施錠記録を鍵面に表示するもの、オ−トロック装着の扉を使用するもの等がある。
【先行技術文献】
【特許文献】
【０００３】特許公開  ２００８−０６３９１８  鍵かけ忘れ防止キ−ヘッドカバ−
特許公開  平０７−２１７２７２    鍵掛け忘れ防止キ−
特許公開  平９−７２１３          鍵掛け忘れ防止装置
実用新案  第３１１９９６７        鍵の掛け忘れ防止具
【発明の概要】
【発明が解決しようとする課題】
【０００４】この発明は先行技術では防ぐことの出来ない誰でも犯すうっかりミス、注意力の低下した高齢者の施錠忘れ、オ−トロック扉の高価格の問題等も解決できる。
【課題を解決するための手段】
【０００５】外出の際扉を開けると、電子シテム容器１内から音響が発生し、扉を閉じても音は鳴り続ける。施錠しない限り音は止まらない。この手段で問題を解決した。
本発明は扉に取り付ける電子システムの容器１と、リモコン機能をもつ鍵ホルダ−７で構成される。容器１は電源、電源スイッチ、音響器、電波受信部分、音響カットスイッチを結んだ回路を内蔵している。
鍵ホルダ−の内部には電波発生源として圧電素子または他種の電波発信装置、電池を持ち外部には鍵の剣部分と平行に取り付けた、電波発振スイッチ押し部品９と発信アンテナ８を持つ。扉を開けると、システム容器外部にあるスイッチ２が扉の動きでＯＮになり音響器が鳴り出す。扉を閉めても音響器は鳴り続ける。鍵ホルダ−７を使い施錠するとホルダ−内から電波が発信される。容器１の受信部分が受信し音響カットのスイッチが働き音響がとまる。帰宅して開錠すると音響が発生するがそれを止めるには容器１にあるスリット６に鍵を差し込めば音響が止まる。
【発明の効果】
【０００６】本発明を採用すると、外出に際して扉を開け始めると音響器が鳴りはじめ、扉を閉めても施錠しない限り音は鳴り止まらない。この状況に施錠を行わずに外出する人はまずいないと思う。
【図面の簡単な説明】
【０００７】
【図１】スイッチ、音響器、受信シテム等を内蔵する容器の斜視図
【図２】音響器スイッチ断面図
【図３】音響器スイッチのカバ−バネ
【図４】ホルダ−付き鍵斜視図
【図５】ホルダ−半面図
【図６】ホルダ−内部図
【図７】電波受信回路図
【図８】電波発振回路図
【図９】選択図
【発明を実施するための形態】
【実施例】
【０００８】扉に電子システム容器を取り付け、受信アンテナ４を扉のすきまを通して扉の正面の鍵穴近くまで引き出し粘着テ−プ等で扉面に接着する。鍵ホルダ−は、分割して鍵を所定の位置に収める。実施して予定通りの結果を得た。
【産業上の利用可能性】
【０００９】高齢者が急速に増加しつつある現状から考え、本発明の利用価値は高いと信じる。
【符号の説明】
【００１０】  １  電子システム容器
２  電源スイッチ
３  板バネ
４  受信アンテナ
５  扉
６  スリット
７  鍵ホルダ−
８  電波発振アンテナ
９  電波発振スイッチ押し部品
１０  スプリング
１１  発振回路収納室
【図１】
2011052513.tif 000003
【図２】
2011052513.tif 000004
【図３】
2011052513.tif 000005
【図４】
2011052513.tif 000006
【図５】
2011052513.tif 000007
【図６】
2011052513.tif 000008
【図７】
2011052513.tif 000009
【図８】
2011052513.tif 000010
【図９】
2011052513.tif 000011
(57)【要約】      （修正有）【課題】地震の揺れを家本体に伝えなくする。【解決手段】木造建物の基礎の立上り部分を取り除き、耐免震改良板バネを組み入れる。耐免震板バネはあらゆる方向の揺れに対処する。【選択図】図１
2011052518.tif 000002
【特許請求の範囲】
【請求項１】
耐免震用改良板バネ
【発明の詳細な説明】
【発明の詳細な説明】
数年前同じテーマで出させていただき公開特許までいきましたが実用段階で思いのほか施工費がかかり断念致しました。
今回同じ木造耐免震住宅というテーマですが安く安全に強くと現実的になりました。
あらゆる揺れを改良板バネで対処ししかも地面とは太い鉄筋と重いコンクリートで固定してあります
板バネの支柱（中心）にかかる直下型の揺れを板バネで吸収します  板バネですので前回のコイルバネのような揺りもどしもほとんどありません
【図面の簡単な説明】Ｄ−２２鉄筋とバネと上蓋により常時の家の安定を保つ
【図１】立面図  改良板バネの型  大きさ  従横の力の吸収関係
【図２】平面図  家の荷重のかかるコーナーに２ケの板バネ配置
【図３】平面図  家のバランスのとれた位置に配置した板バネ
【図４】配置図  一軒家の中での板バネの位置
【図１】
2011052518.tif 000003
【図２】
2011052518.tif 000004
【図３】
2011052518.tif 000005
【図４】
2011052518.tif 000006
(57)【要約】      （修正有）【課題】滞留水の吸水で吸音材の機能低下によるサイレンサーの消音効果の低下防止とサイレンサーの腐食をもたらすサイレンサー内の滞留水を外部に排出する構造を提供することにある。【解決手段】サイレンサー１内の滞留水を排出させる細管２を設けた腐食防止装置で、サイレンサー内の滞留水を排出させる細管が本体下部に設置され、凹型に屈曲させ、本体接続側の水平部より排出側の水平部が低い腐食防止装置細管により、自然に排出される。【選択図】図２
2011052598.tif 000002
【特許請求の範囲】
【請求項１】
空気輸送機において、そのサイレンサー内の滞留水を排出させる細管を設けた腐食防止装
置で、サイレンサー内の滞留水を排出させる細管が本体下部に設置され、凹型に屈曲させ
、本体接続側の水平部より排出側の水平部が低い腐食防止装置。
【発明の詳細な説明】
【技術分野】
【０００１】
本発明は、空気輸送機からの排気による騒音を消音するために装着されるサイレンサーの
消音効果と腐食防止技術に関するものである。
【背景技術】
【０００２】
図１に示すように、空気輸送機からの排気ガスは、排気による騒音を消音する目的で装着
されるサイレンサーを経て、排気口から空気中に排出される。一方、排気ガス中の水蒸気
はサイレンサー下部の排出口よりバルブを装着した配管より排出される。
【０００３】
サイレンサーの下部には排気ガス中の水蒸気がもたらす腐食性の水が溜まる。その排出口
に装着したストップバルブは滞留水に含まれる異物によりつまりが起きやすい。その結果
、滞留水の腐食によるサイレンサーの消音効果の低下や寿命を短くしてきた。
【０００４】
特許文献１は遠心送風機の風圧を利用した応圧作動弁を設け、滞留水を排出するものであ
る。風圧を利用した応圧作動弁では、特別な弁が必要であり、装置を稼働しなければその
効果が得られない問題があった。特許文献２は自動車用マフラーの排気圧を利用して、滞
留水を排出するものである。排気圧を利用した場合、排気圧が充分でない時は滞留水の排
出も十分でない可能性がある。引用文献特許文献３は自動車用マフラーを屈曲することで
消音効果を補強するものである。滞留水を廃棄する際、細管を屈曲することで、消音効果
を補強することも可能であるが、滞留水が容易に排出されないため、腐食や詰まりが発生
するなど問題があった。
【先行技術文献】
【特許文献】
【０００５】
【特許文献１】特開平５−１８０１９７
【特許文献２】特開２００５−３２０９５０
【特許文献３】特開２００５−３２５７６７
【発明の概要】
【発明が解決しようとする課題】
【０００６】
本発明の課題は、滞留水の腐食によるサイレンサーの消音効果の低下防止とサイレンサー
の腐食をもたらすサイレンサー内の滞留水を外部に排出する構造を提供することにある。
【課題を解決するための手段】
【０００７】
この課題を解決する本発明の手段は、図２に示すようにサイレンサーの下部の排出口に凹
型に屈曲させた細管を設けることである。つまり、空気輸送機において、そのサイレンサー内の滞留水を排出させる細管を設けた腐食防止装置で、サイレンサー内の滞留水を排出させる細管が本体下部に設置され、凹型に屈曲させ、本体接続側の水平部より排出側の水平部が低い腐食防止装置により本願課題を解決することができる。
【発明の効果】
【０００８】
本発明の細管はサイレンサーの下部から、滞留水の排出口に設置され、滞留水は凹型の屈
曲部に滞留することにより、騒音の漏れを防止することができる。凹型の屈曲部は可能な
限り深くすると消音効果が増加する。余分な滞留水は自然に排出されるので、サイレンサ
ーの底には滞留水はなく、腐食することを防止することができる。細管にはバルブはない
ので異物が詰まることを防止できる。また、サイレンサーの内部には、吸音材を装着して
いるのが一般的であるが、滞留水が吸音材に吸収され、吸音材の性能を低下させるのを防
ぐことができる。
【発明を実施するための形態】
【０００９】
本発明での空気輸送機とは、空気を外部から内部、または、その逆、粉体や液体などを移
送するなどに用いられる装置である。例えば、製紙産業では、ロータリー真空ポンプなど
である。
【００１０】
本発明で使用するサイレンサーは、特に限定されないが、消音器、マフラーなどとも呼ば
れ、騒音の発生をその出口で低減する機器の総称である。サイレンサーの種類には吸音ダ
クト形、空洞形、共鳴形などがあり、それぞれ減音性能に特徴がある。
【００１１】
細管はできる限りサイレンサー内の滞留水の溜まり易い底辺に近づけて設置し、水平方向
以下で延長する。細管を凹型に屈曲させ出口側は細管入口部の細管低部より低い位置で水
平方向にする。細管低部より高い位置にすると、排水が自然に排出されないばかりか、逆
流する恐れがある。
【００１２】
凹型の屈曲部は可能な限り深くする。凹型の屈曲部が浅いとサイレンサー内の圧力により
滞留水が排出されてしまい消音効果が低下する。
【実施例】
【００１３】
（実施例１）
図２は本発明の実施例のサイレンサーの断面図で、サイレンサーの下部に細管を設け、滞
留水を細管経由で排出させる。
【００１４】
（比較例１）
図１は基本的なサイレンサーの断面図で、サイレンサーの下部にバルブのある細管を設置
し、滞留水をバルブの開閉で排出させる。
【００１５】
実施例１はサイレンサーの下部に滞留水がなく騒音が軽減できた。比較例１は下部に滞
留水が溜まるのを防ぐため、常に排水管のバルブを開けているので、音が外部に漏れてい
る。
【産業上の利用可能性】
【００１６】
本発明は上記の実施例に見られるように、極めて簡単な構成で、サイレンサー内の滞留水
を自然に排出でき、その滞留水による消音効果の低下と腐食による短命を同時に防止でき
るので、産業上その利用効果は多大である。
【図面の簡単な説明】
【００１７】
【図１】サイレンサーの基本的構成の断面図。
【図２】本発明の細管を設けた実施例のサイレンサーの断面図。
【符号の説明】
【００１８】
１  サイレンサー
２  排水管
３  ストップバルブ
４  空気輸送機からの排気
５  排気
６  細管入側
７  細管凹型部
８  細管出側
９  排水を溜める
１０  空気輸送機からの排気
１１  排気
【図１】
2011052598.tif 000003
【図２】
2011052598.tif 000004
(57)【要約】【課題】    薄手の密着性の高いゴム手袋を、装着し易くする装着補助具を提供する。【解決手段】容器の中でゴム手袋を膨らませて、装着し易くする装着補助具。【選択図】図１
2011052364.tif 000002
【特許請求の範囲】
【請求項１】
手の入る大きさの容器に、手を窄め出し入れできる穴を開け、薄手のゴム手袋をセットするセット部を設け、容器の中の空気を減圧するポンプを設けて、容器の中の空気を減圧し、ゴム手袋を膨らませて装着し易くする、ゴム手袋装着補助具。
【発明の詳細な説明】
【技術分野】
【０００１】  本発明は、衛生上着用する薄手のゴム手袋を、速やかに装着出来るようにする補助具に関する物である。
【背景技術】
【０００２】  従来、食品加工、医療関係など、衛生上密着性の高い薄手のゴム手袋などを嵌める。ゴム手袋を嵌める時、軍手や普通の手袋と同じように嵌めていた。
【発明の開示】
【発明が解決しようとする課題】
【０００３】  そのために、次のような問題点があった。
密着性を高めるため、手よりも若干小さく作ってあるので、嵌めるとき時間が掛かる。
又、手を洗い良く乾いていなかったり、汗ばんでいる時は非常に嵌めにくい。
本発明は、以上の問題点を解決しようとするものである。
【課題を解決するための手段】
【０００４】  手の入る大きさの容器に、容器の中の空気を減圧するポンプを設ける。【０００５】  容器に手を窄め出し入れできる穴を開け、ゴム手袋をセットするゴム手袋セット部を設  け、ゴム手袋をセットし易いように鍔状の出っ張りを設ける。【０００６】  ゴム手袋を、ゴム手袋セット部（４）にセットし、ポンプ（２）で容器内の空気を抜き  、「図７」に示すようにゴム手袋が膨らんだら手を窄め挿入する。以上を特徴とするゴ  ム手袋装着補助具である。
【発明の効果】
【０００７】  簡単にゴム手袋を装着できるので時間の短縮に繋がり、嵌め難いという煩わしさが無く  、速やかに次の行動に移れる。
【図面の簡単な説明】
【０００８】
【図１】本発明斜視図
【図２】本発明側面図
【図３】本発明上面図
【図４】ゴム手袋説明図
【図５】鍔状の出っ張りに手首部を掛けた説明図
【図６】ゴム手袋セット部にゴム手袋をセットした説明図
【図７】手を窄めた説明図
【図８】ポンプを押し下げ空気を排出する説明図
【図９】ポンプを引き上げ減圧する説明図
【発明を実施するための最良の形態】
【０００９】  以下、本発明の実施の形態を説明する。
（イ）合成樹脂等を主材とし、中の状態が見える透明か半透明の容器（１）を設ける。        尚、大気圧が掛かるので潰れない強度にする。
（ロ）容器（１）の上部にポンプ（２）と、手を窄めて入る穴（３）を設ける。
（ハ）穴（３）の淵にゴム手袋セット部（４）を設ける。
（二）ゴム手袋セット部（４）の挿入口は、ゴム手袋（５）をセットし易いように鍔状        の出っ張り（１３）を設ける。
本発明は以上のような構成から成るので、本発明を使用するときは、「図６」に示すようにゴム手袋（５）の指先から穴（３）に入れ、手首部（７）をゴム手袋セット部（４）の鍔状の出っ張り（１３）に掛け、後部（１４）まで翻し被せる。「図５」に示すように、鍔状の出っ張り（１３）に引っ掛かるので後部（１４）まで被せ易い。中に吸い込まれないようにゴム手袋（５）を片手で押さえ、「図８」と「図９」に示すようにもう片手で握り（８）を上下に動かし容器の中の空気を抜き減圧する。すると大気圧（１２）に圧されゴム手袋（５）が容器（１）の中で膨らむ、任意の大きさに膨らんだら握り（８）を動かした手を「図７」に示すように窄めて膨らんだゴム手袋（５）に挿入し、押えていた手の指で翻っている手首部（７）の後部（１４）の所を外すとゴム手袋（５）が装着される。
もう片手に嵌めるゴム手袋（５）を先ほどと同じように指先から穴（３）に入れ、鍔状の出っ張り（１３）に手首部（７）を掛け後部（１４）まで翻し被せる。先にゴム手袋（５）を装着した手で、手袋が吸い込まれないように押さえ、ゴム手袋（５）を嵌めていない手で、握り（８）を上下に動かすと先ほどと同じようにゴム手袋（５）が膨らむ、任意の大きさに膨らんだら、握り（８）を動かした手を窄め膨らんだゴム手袋（５）に挿入し押さえていた手の指で翻っている手首部（７）の後部（１４）の所を外すとゴム手袋（５）が装着される。このようにしてゴム手袋を膨らませて装着するので簡単である。尚、本発明における穴（３）、及びポンプ（２）は、必ずしも図上に示されるような容器（１）の上面部に限定されるものではなく、容器側面に別々の面にそれぞれ設けても良い。又、握り（８）を持たなくてもいい様に電動ポンプにしても良い。尚、このときスイッチはペダルなど、手が触れることなくＯＮ，ＯＦＦ出来るようにする。
【符号の説明】
【００１０】１  容器
２  ポンプ
３  穴
４  ゴム手袋セット部
５  ゴム手袋
６  手
７  手首部
８  握り
９  吸い込み口
１０  排出口
１１  空気の流れ
１２  大気圧
１３  鍔状の出っ張り
１４  後部
【図１】
2011052364.tif 000003
【図２】
2011052364.tif 000004
【図３】
2011052364.tif 000005
【図４】
2011052364.tif 000006
【図５】
2011052364.tif 000007
【図６】
2011052364.tif 000008
【図７】
2011052364.tif 000009
【図８】
2011052364.tif 000010
【図９】
2011052364.tif 000011